(57)【要約】【課題】クリーンペーパの印刷物の表面に、普通紙の印刷物から発生する塵が付着することを防止する画像形成装置を提供する。【解決手段】印刷制御部１１１は、一連の印刷ジョブの実行が終了する度に、印刷用紙種類記憶部１１３に当該印刷ジョブに係る選択された印刷用紙の種類を上書記憶する。また、操作指示部１０２を介して実行指示された印刷ジョブに係る印刷用紙の種類と、印刷用紙種類記憶部１１３に記憶された印刷用紙の種類が異なる場合には、排紙トレイ２８に印刷物が無いことを検知することにより、実行指示された印刷ジョブを実行する。【選択図】図１
2010217419.tif 000002
【特許請求の範囲】
【請求項１】
印刷用紙の種類としてクリーンペーパ又は普通紙を選択指示する用紙選択指示部と、
印刷物が排紙される排紙トレイと、前記排紙トレイにおける印刷物の有無を検知するセンサと、印刷用紙の種類を記憶する記憶部を備え、
一連の印刷ジョブの実行が終了する度に、前記記憶部に当該印刷ジョブに係る選択された印刷用紙の種類を記憶し、
実行指示された印刷ジョブに係る印刷用紙の種類と、前記記憶部に記憶された印刷用紙の種類が異なる場合には、前記排紙トレイに印刷物が無いことを検知することにより、前記実行指示された印刷ジョブを実行する印刷制御部を備えたことを特徴とする画像形成装置。
【請求項２】
前記印刷制御部は、前記排紙トレイに印刷物が有ることが検知された後、当該印刷物が取り出されることにより、印刷物が無いことが検知されると、前記実行指示された印刷ジョブを実行することを特徴とする請求項１に記載の画像形成装置。
【請求項３】
実行中の印刷ジョブに対して、他の印刷ジョブを割り込ませ当該他の印刷ジョブを実行するように指示する割り込み印刷指示部と、
実行中の印刷ジョブに対して、他の印刷ジョブを割り込ませ当該他の印刷ジョブを実行する割り込み印刷制御部を備え、
前記印刷制御部は、実行中の印刷ジョブに係る印刷用紙の種類と、割り込み印刷が指示された印刷ジョブに係る印刷用紙の種類とが異なる場合、前記割り込み実行が指示された印刷ジョブを実行せず、前記実行中の印刷ジョブを継続実行することを特徴とする請求項１に記載の画像形成装置。
【請求項４】
前記印刷制御部は、前記排紙トレイに印刷物が有ることが検知された後、当該印刷物が取り出されることにより、印刷物が無いことが検知されると、前記割り込み実行が指示された印刷ジョブを実行することを特徴とする請求項３に記載の画像形成装置。
【発明の詳細な説明】
【技術分野】
【０００１】
本発明は、普通紙／無塵紙・低発塵紙を用いて印刷する画像形成装置に係り、特に、普通紙の印刷物と無塵紙・低発塵紙の印刷物とが排紙トレイに混載しないように印刷出力制御を実行する画像形成装置に関する。
【背景技術】
【０００２】
空気中における、塵などの浮遊微小粒子、浮遊微生物の数・量が所定の基準値以下になるように管理される、いわゆるクリーンルームでは、入室時に塵や細菌を持ち込まないようにすることは当然であるが、クリーンルーム内においても塵を発生させないようにする必要がある。
例えば、クリーンルームで使用する作業指示書、マニュアル、コピー用紙、メモ帳等は、主に重ね合わせた紙が擦れ合う時に塵が発生する可能性がある。そこで、最近では、クリーンルームで使用する作業指示書、マニュアル、コピー用紙、メモ帳等の印刷用紙として、無塵紙や低発塵紙（以下、クリーンペーパーと記す）が使用されている。
【０００３】
なお、ＪＩＳ−Ｂ９９２０「クリーンルーム中の浮遊粒子測定法」において、基準とする微粒子の粒径は０．１μｍであり、清浄度クラス７の上限値は、０．３μｍ以上の粒子で１立方メートル当り１，０１０，０００個であり、かつ０．１μｍ以上の粒子で１立方メートル当り１０，０００，０００個である。
【０００４】
このような、ＪＩＳ清浄度クラス７以下のクリーンルーム中で使用可能な低発塵紙が様々提案されている（例えば、特許文献１参照）。
【先行技術文献】
【特許文献】
【０００５】
【特許文献１】特開２００３−４９３８４号公報
【発明の概要】
【発明が解決しようとする課題】
【０００６】
ところで、クリーンルームで使用される印刷文書などは、クリーンペーパ印刷専用の画像形成装置で印刷（コピー）されるだけではなく、普通紙の印刷も行う画像形成装置で印刷されることがある。このような場合、例えば画像形成装置が、クリーンペーパの印刷物が排紙されるクリーンペーパ専用排紙トレイと普通紙の印刷物が排紙される普通紙専用排紙トレイを備えてなければ、両印刷物が、一つの排紙トレイ（共通排紙トレイ）に排紙される。
【０００７】
このように、前記画像形成装置の共通排紙トレイに、クリーンペーパの印刷物と普通紙の印刷物とが混載してしまうと、両者が接触することにより、クリーンペーパの表面に、普通紙から発生した塵が付着してしまう。
【０００８】
その結果、クリーンペーパの印刷物の表面に付着した塵をクリーンルーム用エアシャワー等で十分に取り除かなければ、当該印刷物をクリーンルームで使用できなくなってしまう。そこで、前記印刷物をクリーンルームに持ち込む前に、当該印刷物に付着した塵をエアシャワーで取り除かなければならないが、その作業をするためには、多大な労力／時間が掛かる。
【０００９】
本発明は、かかる実情に鑑みてなされたものであり、クリーンペーパの印刷物の表面に、普通紙の印刷物から発生する塵が付着することを防止する画像形成装置を提供することを目的とする。
【課題を解決するための手段】
【００１０】
第１の技術手段は、印刷用紙の種類としてクリーンペーパ又は普通紙を選択指示する用紙選択指示部と、印刷物が排紙される排紙トレイと、前記排紙トレイにおける印刷物の有無を検知するセンサと、印刷用紙の種類を記憶する記憶部を備え、一連の印刷ジョブの実行が終了する度に、前記記憶部に当該印刷ジョブに係る選択された印刷用紙の種類を記憶し、実行指示された印刷ジョブに係る印刷用紙の種類と、前記記憶部に記憶された印刷用紙の種類が異なる場合には、前記排紙トレイに印刷物が無いことを検知することにより、前記実行指示された印刷ジョブを実行する印刷制御部を備えたことを特徴とする画像形成装置である。
【００１１】
第２の技術手段は、第１の技術手段において、前記印刷制御部は、前記排紙トレイに印刷物が有ることが検知された後、当該印刷物が取り出されることにより、印刷物が無いことが検知されると、前記実行指示された印刷ジョブを実行することを特徴とする。
【００１２】
第３の技術手段は、第１の技術手段において、実行中の印刷ジョブに対して、他の印刷ジョブを割り込ませ当該他の印刷ジョブを実行するように指示する割り込み印刷指示部と、実行中の印刷ジョブに対して、他の印刷ジョブを割り込ませ当該他の印刷ジョブを実行する割り込み印刷制御部を備え、前記印刷制御部は、実行中の印刷ジョブに係る印刷用紙の種類と、割り込み印刷が指示された印刷ジョブに係る印刷用紙の種類とが異なる場合、前記割り込み印刷が指示された印刷ジョブを実行せず、前記実行中の印刷ジョブを継続実行することを特徴とする。
【００１３】
第４の技術手段は、第３の技術手段において、前記印刷制御部は、前記排紙トレイに印刷物が有ることが検知された後、当該印刷物が取り出されることにより、印刷物が無いことが検知されると、前記割り込み印刷が指示された印刷ジョブを実行することを特徴とする。
【発明の効果】
【００１４】
本発明により、排紙トレイに、クリーンペーパの印刷物と普通紙の印刷物とが混載されることがなくなり、クリーンペーパの表面に、普通紙から発生した塵が付着することを防止することができる。
【図面の簡単な説明】
【００１５】
【図１】本発明に係る画像形成装置の概要を示す全体断面図の一例である。
【図２】本発明に係る画像形成装置の機能ブロック図である。
【図３】メッセージ画面の一例である。
【図４】メッセージ画面の他の例である。
【図５】本発明の印刷出力制御を説明するための第１のフロー図である。
【図６】本発明の印刷出力制御を説明するための第２のフロー図である。
【発明を実施するための形態】
【００１６】
図１は、本発明に係る画像形成装置１の概要を示す全体断面図の一例であり、画像形成装置１は、クリーンペーパ／普通紙に対して単色及び多色の画像を形成する。
【００１７】
１０は、ガラス等透光性の部材から構成され、原稿の読取面を押圧する原稿載置台である。
１１は、原稿載置台１０を覆うための原稿カバー部である。原稿カバー部１１は、矢印Ｍ方向に回動自在に構成される。
【００１８】
原稿カバー部１１には、原稿載置台１０上に自動で原稿を搬送するための自動原稿搬送装置（ＡＤＦ：Auto Document Feeder）１２が設けられている。
【００１９】
２０は、画像形成装置１の下部に設けられたレーザ光露光装置である。ＬＤ（図示しない）が出射したレーザ光（符号Ｌ）により、帯電された感光体ドラム２１（イエロー（Ｙ）用感光体ドラム２１ｙ、マゼンタ（Ｍ）用感光体ドラム２１ｍ、シアン（Ｃ）用感光体ドラム２１ｃ、ブラック（Ｋ）用感光体ドラム２１ｋ）を走査して、原稿画像データに応じた静電潜像が感光体ドラム２１上に形成される。
【００２０】
２２は、感光体ドラム２１の表面を所定の電位に均一に帯電させるための帯電器である。
【００２１】
２３は、各感光体ドラム２１上に形成された静電潜像をＹ、Ｍ、Ｃ、Ｋの４色のトナー（図示しない）により顕像化する現像器である。
【００２２】
２４は、現像及び画像転写後における感光体ドラム２１の表面に残留したトナーを除去、回収するクリーナユニットである。
【００２３】
感光体ドラム２１、帯電器２２、現像器２３、クリーナユニット２４は、各色に応じて、それぞれ４個ずつ設けられている。
【００２４】
２５は、中間転写ベルトユニットで、中間転写ベルト２５ａ、中間転写ベルト駆動ローラ２５ｂ、中間転写ベルト従動ローラ２５ｃ、中間転写ローラ２５ｄ、及び、中間転写ベルトクリーニングユニット２５ｅから構成される。
【００２５】
中間転写ベルト２５ａは、感光体ドラム２１に接触するように設けられ、中間転写ベルト駆動ローラ２５ｂ、中間転写ベルト従動ローラ２５ｃ、及び、中間転写ローラ２５ｄにより張架されて回転駆動される。
また、中間転写ベルト２５ａ上に、感光体ドラム２１に形成された各色のトナー像が順次的に重ねて転写されることによって、カラーのトナー像（多色トナー像）が形成される。
【００２６】
中間転写ベルト駆動ローラ２５ｂは、中間転写ベルト２５ａを駆動するためのローラである。
【００２７】
中間転写ベルト従動ローラ２５ｃは、中間転写ベルト２５ａを、後述の中間転写ベルトクリーニングユニット２５ｅのクリーニングブレード（図示しない）に接触させるため、中間転写ベルト２５ａを裏側から支持するためのローラである。
【００２８】
中間転写ローラ２５ｄには、高電圧の転写バイアス（トナーの帯電極性（−）とは逆極性（＋）の高電圧）が印加されており、印加された転写バイアスにより、感光体ドラム２１のトナー像が中間転写ベルト２５ａに転写される。
なお、中間転写ローラ２５ｄは、ＹＭＣＫ各色に対応して４本設けられている。
【００２９】
前述したように、各感光体ドラム２１上で各色相に応じて顕像化された静電像は、中間転写ベルト２５ａで積層される。
このようにして積層された画像情報は、中間転写ベルト２５ａ、及び、印刷用紙（記録用紙）と中間転写ベルト２５ａの接触位置に配置される転写ローラ２６によって印刷用紙上に転写される。
【００３０】
転写ローラ２６によって印刷用紙上に転写されず、中間転写ベルト２５ａ上に残存したままのトナーは、次工程でトナーの混色を発生させる原因となるため、中間転写ベルトクリーニングユニット２５ｅにより、除去、回収される。
【００３１】
２７は、画像形成装置１の下部に設けられた、クリーンペーパ／普通紙（印刷用紙）を蓄積しておくための給紙カセットで、クリーンペーパ／普通紙を別々の給紙カセットに蓄積する。
【００３２】
２８は、印刷済みのクリーンペーパ／普通紙をフェイスダウンで集積するための排紙トレイである。
【００３３】
また、画像形成装置１には、符号Ｓ（２点鎖線）で示すように、給紙カセット２７から供給される印刷用紙を転写ローラ２６や定着ユニット３３を経由させて排紙トレイ２８に送るための略垂直形状の用紙搬送路が設けられている。
【００３４】
用紙搬送路Ｓの近傍には、転写ローラ２６、ピックアップローラ３０、複数の搬送ローラ３１ａ〜３１ｄ、レジストローラ３２、定着ユニット３３等が配設されている。
【００３５】
ピックアップローラ３０は、給紙カセット２７の端部近傍に備えられ、給紙カセット２７から印刷用紙を１枚ずつピックアップして用紙搬送路Ｓに供給する。
【００３６】
搬送ローラ３１ａ〜３１ｅは、印刷用紙の搬送を促進、補助するための小型のローラであり、用紙搬送路Ｓに沿って複数設けられている。
【００３７】
レジストローラ３２は、用紙搬送路Ｓを搬送されている印刷用紙を一旦保持し、中間転写ベルト２５ａ上に積層されたトナー像の先端と印刷用紙の先端を合わせるタイミングで、印刷用紙を転写ローラ２６に搬送する機能を有している。
【００３８】
定着ユニット３３は、印刷用紙を挟んで回転するように配設されたヒートローラ３３ａ、加圧ローラ３３ｂ等から構成される。
【００３９】
ヒートローラ３３ａは、加圧ローラ３３ｂとともにトナーを印刷用紙に熱圧着することにより、印刷用紙に転写された多色トナー像を溶融、混合、圧接し、印刷用紙に対して熱定着させる機能を有している。
【００４０】
なお、画像形成装置１をＭＦＰとして構成することもできる。このようにすれば、ファクシミリ処理、電子データのファイリング処理なども可能になる。
【００４１】
本発明に係る画像形成装置１は、クリーンペーパの印刷物と普通紙の印刷物とが排紙トレイ２８に混載しないように印刷出力制御を実行する。
図２は、本発明に係る画像形成装置１の機能ブロック図である。
１０１は、ネットワークＩ／Ｆで、インターネット、ローカルネットワーク等のネットワークＮに対するインターフェイス機能を提供し、当該ネットワークＮに接続しているファクシミリ装置（図示せず）、ＰＣ（図示せず）とデータ送受信を実行する。
【００４２】
１０２は、画像形成装置１に対して操作指示するための操作指示部で、表示パネル、テンキー等から構成されている。操作指示部１０２は、印刷用紙の種類としてクリーンペーパ又は普通紙を選択指示する用紙選択指示部１０２ａと、実行中の印刷ジョブに対して、他の印刷ジョブを割り込ませ当該他の印刷ジョブを実行するように指示する割り込み印刷指示部１０２ｂとを有する。
１０３は、自動原稿搬送装置１２等を備えたスキャナ部で、原稿をスキャンし、原稿画像データを生成する。
【００４３】
１０４は、画像処理部で、スキャナ部１０３が生成した原稿画像データに、ユーザによって設定された印刷条件に基づく画像処理などを施す。
１０５は、感光体ドラム２１、帯電器２２、現像器２３、クリーナユニット２４等から構成される画像形成部である。
【００４４】
１０６は、メモリで、各種制御情報、ファクシミリ装置やＰＣ等から送信された印刷ジョブデータ等を記憶する。１０７は、ＨＤＤで、メッセージ用ＯＳＤデータ、スキャナ部１０３が生成した原稿画像データを記録する。
【００４５】
１１１は、印刷制御部で、一連の印刷ジョブ（一単位）の実行が終了する度に、印刷用紙種類記憶部１１３に当該印刷ジョブに係る選択された印刷用紙の種類を上書記憶し、操作指示部１０２を介して実行指示された印刷ジョブに係る印刷用紙の種類と、印刷用紙種類記憶部１１３に記憶された印刷用紙の種類が異なる場合には、排紙トレイ２８に印刷物が無いことを検知することにより、実行指示された印刷ジョブを実行する。
印刷ジョブの実行とは、例えば、スキャナ部１０３が生成した原稿画像データを画像形成部１０５でクリーンペーパ／普通紙に印刷することや、ネットワークＩ／Ｆ１０１を介して受信した印刷ジョブデータを画像形成部１０５でクリーンペーパ／普通紙に印刷することを意味する。
なお、前述の例では、印刷制御部１１１は、印刷用紙種類記憶部１１３に、印刷用紙の種類を上書記憶したが、上書記憶せず、順次、印刷用紙の種類を記憶してもよい。
【００４６】
１１２は、排紙トレイ２８における印刷物の有無を検知するセンサである。印刷物の有無を検知する方法としては、従来から提案されている様々な方法を用いることができる。例えば、排紙トレイ２８の底面部に重量検知センサを設けてもよい。
印刷用紙種類記憶部１１３は、印刷用紙の種類を記憶する。
【００４７】
１１４は、各機能ブロックを制御する制御部で、実行中の印刷ジョブに対して、他の印刷ジョブを割り込ませ当該他の印刷ジョブを割り込み実行する割り込み印刷制御部１１４ａを有する。
【００４８】
排紙トレイ２８にクリーンペーパの印刷物と普通紙の印刷物とが混載することを防止する、本発明の印刷出力制御について詳細に説明する。
排紙トレイ２８にクリーンペーパの印刷物と普通紙の印刷物とが混載する原因は、前回実行した印刷ジョブ（クリーンペーパ印刷ジョブ／普通紙印刷ジョブ）に係る印刷用紙の種類と、実行指示された印刷ジョブに係る印刷用紙の種類が異なり、かつ、排紙トレイ２８に印刷物が残っている場合である。
【００４９】
更に、印刷ジョブ実行中に、他の印刷ジョブの割り込み実行（印刷）をユーザが割り込み印刷指示部１０２ｂを介して指示し、当該指示に基づき、割り込み印刷制御部１１４ａが、当該他の印刷ジョブの割り込み実行をする場合において、実行中の印刷ジョブに係る印刷用紙の種類と、割り込み印刷が指示された印刷ジョブ（他の印刷ジョブ）に係る印刷用紙の種類とが異なる場合である。
【００５０】
ここで、クリーンペーパ印刷ジョブとは、印刷ジョブに係る印刷用紙の種類がクリーンペーパであることを意味し、普通紙印刷ジョブとは、印刷ジョブに係る印刷用紙の種類が普通紙であることを意味する。
【００５１】
クリーンペーパ印刷ジョブの実行を指示するときは、例えば、自動原稿搬送装置１２に原稿をセットし、用紙選択指示部１０２ａを介して、印刷用紙としてクリーンペーパを選択し、スキャン開始ボタン（コピー開始ボタン）を操作する。また、普通紙印刷ジョブの実行を指示するときは、印刷用紙として普通紙を選択し、スキャン開始ボタンを操作するものとする。
【００５２】
印刷用紙としてクリーンペーパが選択されると、制御部１１４は、クリーンペーパ用給紙カセットからクリーンペーパを給紙して、画像形成部１０５に印刷処理を実行するように指示する。また、印刷用紙として普通紙が選択されると、普通紙用給紙カセットから普通紙を給紙して、画像形成部１０５に印刷処理を実行するように指示する。
【００５３】
なお、ネットワークＮに接続しているＰＣにインストールされているプリンタドライバの設定画面を用いて、印刷用紙を選択し、印刷ジョブデータを画像形成装置１に送信し、この印刷ジョブを画像形成装置１で実行（印刷）するものとしてもよい。
【００５４】
クリーンペーパ印刷ジョブの実行が指示され、当該印刷ジョブの実行が終了すると、印刷制御部１１１は、印刷用紙種類記憶部１１３に、印刷ジョブに係る印刷用紙の種類：“クリーンペーパ”を上書記憶する。一方、普通紙印刷ジョブの実行が指示され、普通紙印刷ジョブの実行が終了すると、印刷制御部１１１は、印刷用紙種類記憶部１１３に、印刷ジョブに係る印刷用紙の種類：“普通紙”を上書記憶する。
【００５５】
例えば、直前に、普通紙印刷ジョブが実行された後、ユーザがクリーンペーパ印刷ジョブの実行を、操作指示部１０２を介して指示したとする。
すると、印刷制御部１１１は、実行指示された印刷ジョブに係る印刷用紙の種類を検知し、当該印刷ジョブに係る印刷用紙の種類と、印刷用紙種類記憶部１１３に記憶された印刷ジョブに係る印刷用紙の種類が異なるか否かを判別する。この場合、印刷用紙種類記憶部１１３には、印刷ジョブに係る印刷用紙の種類：“普通紙”が記憶されている。
【００５６】
実行指示された印刷ジョブに係る印刷用紙の種類と、印刷用紙種類記憶部１１３に記憶された印刷ジョブに係る印刷用紙の種類が異なるので、印刷制御部１１１は、印刷物が排紙トレイ２８に有るか否かを、センサ１１２を用いて判別（確認）する。センサ１１２が、排紙トレイ２８に印刷物が有ると検知した場合には、印刷制御部１１１は、操作指示部１０２の表示パネルに、図３に示すメッセージを表示し、実行指示された印刷ジョブを実行しない。そして、メモリ１０６に、前記印刷ジョブに係るデータ（印刷ジョブデータ）を記憶する。
【００５７】
図３（Ａ）は、印刷用紙種類記憶部１１３に記憶された印刷ジョブに係る印刷用紙の種類が普通紙で、排紙トレイ２８に普通紙の印刷物が有るときに、クリーンペーパ印刷ジョブの実行が指示された場合に表示されるメッセージ、図３（Ｂ）は、印刷用紙種類記憶部１１３に記憶された印刷ジョブに係る印刷用紙の種類がクリーンペーパ印刷ジョブで、排紙トレイ２８にクリーンペーパの印刷物が有るときに、普通紙印刷ジョブの実行が指示された場合に表示されるメッセージである。
【００５８】
その後、ユーザにより前記印刷物を排紙トレイ２８から取り出すと、センサ１１２が、排紙トレイ２８に当該印刷物が無いことを検知する。すると、印刷制御部１１１は、メモリ１０６に記憶された印刷ジョブを実行する。
【００５９】
実行指示された印刷ジョブに係る印刷用紙の種類と、印刷用紙種類記憶部１１３に記憶された印刷ジョブに係る印刷用紙の種類が同じ場合、又は、印刷物が排紙トレイ２８に無い場合には、印刷制御部１１１は、実行指示された印刷ジョブを実行する。
【００６０】
なお、印刷用紙種類記憶部１１３に、印刷用紙の種類を上書記憶せず、印刷用紙の種類を順次、記憶する場合、実行指示された印刷ジョブに係る印刷用紙の種類と、印刷用紙種類記憶部１１３に最後に記憶された、印刷ジョブに係る印刷用紙の種類（最新の印刷用紙の種類）との判別を行う。
【００６１】
次に、割り込み印刷実行が指示された場合の印刷出力制御について説明する。
例えば、普通紙印刷ジョブを実行中に、ユーザがクリーンペーパ印刷ジョブの割り込み実行を、操作指示部１０２の割り込み印刷指示部１０２ｂを介して指示したとする。
すると、印刷制御部１１１は、実行中の印刷ジョブに係る印刷用紙の種類を検知し、当該実行中の印刷ジョブに係る印刷用紙の種類と、割り込み実行が指示された印刷ジョブに係る印刷用紙の種類が異なるか否かを判別する。
この場合、実行中の印刷ジョブに係る印刷用紙の種類と、割り込み実行が指示された印刷ジョブに係る印刷用紙の種類が異なるので、印刷制御部１１１は、印刷ジョブの割り込み実行を拒否し、前記普通紙印刷ジョブを継続実行する。そして、メモリ１０６に割り込み実行が指示されたクリーンペーパ印刷ジョブ（データ）を記憶する。
【００６２】
この時、印刷制御部１１１は、操作指示部１０２の表示パネルに、図４に示すメッセージを表示する。
図４（Ａ）は、実行中の印刷ジョブが普通紙印刷ジョブで、割り込み実行が指示された印刷ジョブがクリーンペーパ印刷ジョブの場合に表示されるメッセージ、図４（Ｂ）は、実行中の印刷ジョブがクリーンペーパ印刷ジョブで、割り込み実行が指示された印刷ジョブが普通紙印刷ジョブの場合に表示されるメッセージである。
【００６３】
前記の場合、当初の普通紙印刷ジョブの実行が終了して、ユーザが、当該印刷ジョブの印刷物を排紙トレイ２８から取り出すと、センサ１１２が、排紙トレイ２８に当該印刷物が無いことを検知する。すると、印刷制御部１１１は、メモリ１０６に記憶された、割り込み実行が指示されたクリーンペーパ印刷ジョブを実行する。
【００６４】
実行中の印刷ジョブに係る印刷用紙の種類と、割り込み実行が指示された印刷ジョブに係る印刷用紙の種類が同じ場合には、印刷制御部１１１は、メモリ１０６に実行中の印刷ジョブを一時的に記憶し、割り込み実行が指示された印刷ジョブを実行する。そして、当該印刷ジョブの終了後、メモリ１０６に記憶された前記印刷ジョブを実行する。
【００６５】
次に、上記印刷出力制御について、図５、図６のフロー図を用いて説明する。
なお、前回実行指示された印刷ジョブに係る印刷用紙の種類が印刷用紙種類記憶部１１３に記憶されているものとする。
図５において、まず、ユーザが、画像形成装置１に印刷ジョブの実行を指示する（ステップＳ１）。すると、印刷制御部１１１は、実行指示された印刷ジョブに係る印刷用紙の種類を検知し、当該印刷ジョブに係る印刷用紙の種類と、印刷用紙種類記憶部１１３に記憶された印刷ジョブに係る印刷用紙の種類が異なるか否かを判別する（ステップＳ２）。
【００６６】
実行指示された印刷ジョブに係る印刷用紙の種類と、印刷用紙種類記憶部１１３に記憶された印刷ジョブに係る印刷用紙の種類が異なり（ステップＳ２／ＹＥＳ）、かつ、印刷物が排紙トレイ２８に有る場合（ステップＳ３／ＹＥＳ）、印刷制御部１１１は、操作指示部１０２の表示パネルに、印刷物を取り出すように指示する旨のメッセージ（図３参照）を表示する（ステップＳ４）。
【００６７】
その後、ユーザが、排紙トレイ２８に有る印刷物を取り出し、同トレイ２８から印刷物が無くなると（ステップＳ５／ＮＯ）、印刷制御部１１１は、実行指示された印刷ジョブを実行し（ステップＳ６）、印刷用紙種類記憶部１１３に、当該印刷ジョブに係る印刷用紙の種類を上書記憶する（ステップＳ７）。
【００６８】
なお、実行指示された印刷ジョブに係る印刷用紙の種類と、印刷用紙種類記憶部１１３に記憶された印刷ジョブに係る印刷用紙の種類が同じ（ステップＳ２／ＮＯ）、又は、印刷物が排紙トレイ２８に無い場合（ステップＳ３／ＮＯ）、ステップＳ６以下の処理を実行する。
【００６９】
図６は、割り込み印刷実行が指示された場合の印刷出力制御について説明するためのフロー図である。
まず、ユーザの指示を受け、画像形成装置１が印刷ジョブを実行する（ステップＳ１１）。前記印刷ジョブの実行中に、他の印刷ジョブの割り込み実行が指示された場合（ステップＳ１２／ＹＥＳ）、印刷制御部１１１は、実行中の印刷ジョブに係る印刷用紙の種類を検知し、当該実行中の印刷ジョブに係る印刷用紙の種類と、割り込み実行が指示された印刷ジョブに係る印刷用紙の種類が異なるか否かを判別する（ステップＳ１３）。
【００７０】
実行中の印刷ジョブに係る印刷用紙の種類と、割り込み実行が指示された印刷ジョブに係る印刷用紙の種類が異なる場合（ステップＳ１３／ＹＥＳ）、印刷制御部１１１は、割り込み実行ができない旨のメッセージ（図４参照）を表示する（ステップＳ１４）。そして、割り込み実行が指示された印刷ジョブ（データ）をメモリ１０６に記憶し（ステップＳ１５）、実行中の印刷ジョブデータの実行を継続する（ステップＳ１６）。
【００７１】
実行中の印刷ジョブに係る印刷用紙の種類と、割り込み実行が指示された印刷ジョブに係る印刷用紙の種類が同じ場合（ステップＳ１３／ＮＯ）、印刷制御部１１１は、メモリ１０６に実行中の印刷ジョブを一時的に記憶し、割り込み実行が指示された印刷ジョブを割り込み実行する（ステップＳ１７）。割り込み実行が指示された印刷ジョブの実行が終了すると、メモリ１０６に記憶された前記印刷ジョブを実行する。
【００７２】
なお、継続実行中の印刷ジョブの実行が終了し（ステップＳ１６参照）、排紙トレイ２８から印刷物が取り出されると、印刷制御部１１１は、ステップＳ１５でメモリ１０６に記憶した印刷ジョブ（データ）を実行する。
【００７３】
本発明によれば、排紙トレイに、クリーンペーパの印刷物と、普通紙の印刷物とが混載されることがなくなり、クリーンペーパの表面に、普通紙から発生した塵が付着することを防止することができる。
【００７４】
実施例では、１つの排紙トレイを備えた画像形成装置について説明したが、複数の排紙トレイを備えた画像形成装置であってもよい。この場合、印刷制御部１１１は、印刷用紙種類記憶部１１３に、排紙する印刷物の種類と、当該印刷物の排紙先トレイとを関連付けて記憶する。
【符号の説明】
【００７５】
１…画像形成装置、１０…原稿載置台、１１…原稿カバー部、１２…自動原稿搬送装置、２０…レーザ光露光装置、２１…感光体ドラム、２１ｙ，２１ｍ，２１ｃ，２１ｋ…Ｙ用，Ｍ用，Ｃ用，Ｋ用感光体ドラム、２２…帯電器、２３…現像器、２４…クリーナユニット、２５…中間転写ベルトユニット、２５ａ…中間転写ベルト、２５ｂ…中間転写ベルト駆動ローラ、２５ｃ…中間転写ベルト従動ローラ、２５ｄ…中間転写ローラ、２５ｅ…中間転写ベルトクリーニングユニット、２６…転写ローラ、２７…給紙カセット、２８…排紙トレイ、３０…ピックアップローラ、３１ａ〜３１ｅ…搬送ローラ、３２…レジストローラ、３３…定着ユニット、３３ａ…ヒートローラ、３３ｂ…加圧ローラ、１０１…ネットワークＩ／Ｆ、１０２…操作指示部、１０２ａ…用紙選択指示部、１０２ｂ…割り込み印刷指示部、１０３…スキャナ部、１０４…画像処理部、１０５…画像形成部、１０６…メモリ、１０７…ＨＤＤ、１１１…印刷制御部、１１２…センサ、１１３…印刷用紙種類記憶部、１１４…制御部、１１４ａ…割り込み印刷制御部。
【図１】
2010217419.tif 000003
【図２】
2010217419.tif 000004
【図３】
2010217419.tif 000005
【図４】
2010217419.tif 000006
【図５】
2010217419.tif 000007
【図６】
2010217419.tif 000008